(57)【特許請求の範囲】
【請求項１】
物体側から順に配置された、正の屈折力を有する第１レンズ群と、負の屈折力を有する第２レンズ群と、正の屈折力を有する第３レンズ群と、からなり、
前記第１レンズ群は、物体側から順に配置された、負の屈折力を有する第１サブレンズ群と、正の屈折力を有する第２サブレンズ群と、から構成され、
前記第１サブレンズ群は、物体側から順に配置された、物体側に凸面を向けた負のメニスカスレンズと、正レンズと、からなり、
前記第２レンズ群は単体のレンズのみで構成され、
フォーカシング時に、前記第２レンズ群が光軸に沿って移動し、前記第１レンズ群および前記第３レンズ群が固定され、
以下の条件式を満足することを特徴とするインナーフォーカス式レンズ。
（１）  ０．３１＜ｆ１／ｆ＜０．５８
ただし、ｆ１は前記第１レンズ群の焦点距離、ｆは無限遠合焦状態における光学系全系の焦点距離を示す。
【請求項２】
前記負のメニスカスレンズの像側面には非球面が形成され、
以下の条件式を満足することを特徴とする請求項１に記載のインナーフォーカス式レンズ。
（２）  ０．００４７＜｜ａｓｐ１ｎｒ｜／ｆ＜０．００８８
ただし、ａｓｐ１ｎｒは、前記負のメニスカスレンズの像側面の非球面変形量を示す。
【請求項３】
前記第１サブレンズ群と前記第２サブレンズ群との間に開口絞りが配置され、
以下の条件式を満足することを特徴とする請求項２に記載のインナーフォーカス式レンズ。
（３）  ０．３１＜ＬＲ１Ｓ／ＬＧ１＜０．５７
ただし、ＬＲ１Ｓは前記第１サブレンズ群の最も物体側面から前記開口絞りまでの光軸上の距離、ＬＧ１は前記第１サブレンズ群の最も物体側面から前記第２サブレンズ群の最も像側面までの光軸上の距離を示す。
【請求項４】
以下の条件式を満足することを特徴とする請求項１〜３のいずれか一つに記載のインナーフォーカス式レンズ。
（４）  −０．８３＜ｆ２／ｆ＜−０．４４
ただし、ｆ２は前記第２レンズ群の焦点距離を示す。
【発明の詳細な説明】
【技術分野】
【０００１】
この発明は、ビデオカメラ、電子スチルカメラなどに好適な小型、広角のインナーフォーカス式レンズに関する。
【背景技術】
【０００２】
一般に、撮影レンズのフォーカシング方法としては、最も物体側に配置されている第１レンズ群を移動させる前玉フォーカス式、前記第１レンズ群よりも像側に配置されている第２レンズ群以降のレンズ群を移動させるインナーフォーカス式やリアフォーカス式がある。インナーフォーカス式やリアフォーカス式のレンズでは、前玉フォーカス式のものに比べ第１レンズ群の光線有効径を小さくすることができるため、光学系の径方向の小型化に資するという利点がある。また、インナーフォーカス式やリアフォーカス式のレンズでは、比較的軽量のレンズ群を移動させてフォーカシングを行うため、特に近年主流となっているオートフォーカスカメラに用いると、安定したオートフォーカス機能が得られるといった利点がある。そこで、近年かかる特徴を有するインナーフォーカス式やリアフォーカス式のレンズが多く提案されている（たとえば、特許文献１〜３を参照。）。
【先行技術文献】
【特許文献】
【０００３】
【特許文献１】特開２００９−２３７５４２号公報
【特許文献２】特許第３９５０５７１号公報
【特許文献３】特許第３４４５５５４号公報
【発明の概要】
【発明が解決しようとする課題】
【０００４】
特許文献１に記載の光学系は、開口絞りをはさんで前群と後群とに分割され、後群を移動させることによりフォーカシングを行うものである。しかし、前記後群は３枚程度のレンズにより構成されているため、フォーカス群の十分な軽量化が図られているとは云えず、高速のフォーカシングをスムーズに行うことは困難である。
【０００５】
また、特許文献２に記載の光学系は、１枚程度のレンズでフォーカス群が構成されている。したがって、特許文献１に記載の光学系と比べればフォーカス群の軽量化が図られている。しかしながら、特許文献２に記載の光学系は、十分な広角化が図られておらず、特に３５ｍｍカメラ換算の焦点距離で４５ｍｍ近辺の領域での画角が狭くなる。
【０００６】
また、特許文献３に記載の光学系は、特許文献２に記載の光学系と同様、広角化が困難であることに加え、光学系の十分な小型化が図れていないという問題がある。
【０００７】
このように、上記各特許文献に記載の技術をはじめとする従来のインナーフォーカス式やリアフォーカス式のレンズでは、光学系の小型化、広角化と、フォーカス群の十分な軽量化が両立されているものはなかった。
【０００８】
この発明は、上述した従来技術による問題点を解消するため、フォーカス群の十分な軽量化が図られていることはもとより、小型、広角で、優れた結像性能を備えたインナーフォーカス式レンズを提供することを目的とする。
【課題を解決するための手段】
【０００９】
上述した課題を解決し、目的を達成するため、この発明にかかるインナーフォーカス式レンズは、物体側から順に配置された、正の屈折力を有する第１レンズ群と、負の屈折力を有する第２レンズ群と、正の屈折力を有する第３レンズ群と、からなり、前記第１レンズ群は、物体側から順に配置された、負の屈折力を有する第１サブレンズ群と、正の屈折力を有する第２サブレンズ群と、から構成され、前記第１サブレンズ群は、物体側から順に配置された、物体側に凸面を向けた負のメニスカスレンズと、正レンズと、からなり、前記第２レンズ群は単体のレンズのみで構成され、フォーカシング時に、前記第２レンズ群が光軸に沿って移動し、前記第１レンズ群および前記第３レンズ群が固定され、以下の条件式を満足することを特徴とする。
（１）  ０．３１＜ｆ１／ｆ＜０．５８
ただし、ｆ１は前記第１レンズ群の焦点距離、ｆは無限遠合焦状態における光学系全系の焦点距離を示す。
【００１０】
この発明によれば、フォーカス群の十分な軽量化が図られていることはもとより、小型、広角で優れた結像性能を備えたインナーフォーカス式レンズを提供することができる。
【００１１】
さらに、この発明にかかるインナーフォーカス式レンズは、前記発明において、前記負のメニスカスレンズの像側面には非球面が形成され、以下の条件式を満足することを特徴とする。
（２）  ０．００４７＜｜ａｓｐ１ｎｒ｜／ｆ＜０．００８８
ただし、ａｓｐ１ｎｒは、前記負のメニスカスレンズの像側面の非球面変形量を示す。
【００１２】
この発明によれば、光学系の広角化、小型化を達成しつつ、諸収差、特に歪曲収差の効果的な補正を行うことができる。
【００１３】
さらに、この発明にかかるインナーフォーカス式レンズは、前記発明において、前記第１サブレンズ群と前記第２サブレンズ群との間に開口絞りが配置され、以下の条件式を満足することを特徴とする。
（３）  ０．３１＜ＬＲ１Ｓ／ＬＧ１＜０．５７
ただし、ＬＲ１Ｓは前記第１サブレンズ群の最も物体側面から前記開口絞りまでの光軸上の距離、ＬＧ１は前記第１サブレンズ群の最も物体側面から前記第２サブレンズ群の最も像側面までの光軸上の距離を示す。
【００１４】
この発明によれば、光学系の小型化を阻害せずに、より結像性能の向上を図ることができる。
【００１５】
さらに、この発明にかかるインナーフォーカス式レンズは、前記発明において、以下の条件式を満足することを特徴とする。
（４）  −０．８３＜ｆ２／ｆ＜−０．４４
ただし、ｆ２は前記第２レンズ群の焦点距離を示す。
【００１６】
この発明によれば、光学系の小型化を阻害せずに、より結像性能を向上させることができる。特に、像面湾曲をより良好に補正することが可能になる。
【発明の効果】
【００１７】
この発明によれば、フォーカス群の十分な軽量化が図られていることはもとより、小型、広角で、優れた結像性能を備えたインナーフォーカス式レンズを提供することができるという効果を奏する。
【図面の簡単な説明】
【００１８】
【図１】実施例１にかかるインナーフォーカス式レンズの構成を示す光軸に沿う断面図である。
【図２】実施例１にかかるインナーフォーカス式レンズの無限遠合焦状態における諸収差図である。
【図３】実施例１にかかるインナーフォーカス式レンズの最至近距離合焦状態における諸収差図である。
【図４】実施例２にかかるインナーフォーカス式レンズの構成を示す光軸に沿う断面図である。
【図５】実施例２にかかるインナーフォーカス式レンズの無限遠合焦状態における諸収差図である。
【図６】実施例２にかかるインナーフォーカス式レンズの最至近距離合焦状態における諸収差図である。
【図７】実施例３にかかるインナーフォーカス式レンズの構成を示す光軸に沿う断面図である。
【図８】実施例３にかかるインナーフォーカス式レンズの無限遠合焦状態における諸収差図である。
【図９】実施例３にかかるインナーフォーカス式レンズの最至近距離合焦状態における諸収差図である。
【発明を実施するための形態】
【００１９】
以下、この発明にかかるインナーフォーカス式レンズの好適な実施の形態を詳細に説明する。
【００２０】
この発明にかかるインナーフォーカス式レンズは、物体側から順に配置された、正の屈折力を有する第１レンズ群と、負の屈折力を有する第２レンズ群と、正の屈折力を有する第３レンズ群と、からなる。そして、このインナーフォーカス式レンズでは、フォーカシング時に、前記第２レンズ群が光軸に沿って移動し、前記第１レンズ群および前記第３レンズ群が固定される。
【００２１】
この発明は、フォーカス群の十分な軽量化が図られていることはもとより、小型、広角で、優れた結像性能を備えたインナーフォーカス式レンズを提供することを目的としている。そこで、かかる目的を達成するため、この発明では、上記特徴に加え以下に示すような条件を設定している。
【００２２】
まず、この発明にかかるインナーフォーカス式レンズでは、フォーカス群である前記第２レンズ群を単体のレンズで構成することが好ましい。フォーカス群を単体のレンズで構成し、軽量化すれば、たとえばこのインナーフォーカス式レンズをオートフォーカスカメラに用いた場合、安定した高速のオートフォーカス機能が得られるようになる。また、フォーカス機構の負荷を減らし、低消費電力、鏡筒外径の縮小化を図ることができる。なお、単体のレンズ要素とは、単一レンズや、非球面レンズ、複合非球面レンズ、接合レンズを意味する。
【００２３】
また、この発明にかかるインナーフォーカス式レンズでは、前記第１レンズ群の焦点距離をｆ１、無限遠合焦状態における光学系全系の焦点距離をｆとするとき、次の条件式を満足することが好ましい。
（１）  ０．３１＜ｆ１／ｆ＜０．５８
【００２４】
条件式（１）は、光学系の優れた結像性能を維持しつつ、前玉径の小型化および光学系全長の短縮化を達成するための条件を規定するものである。条件式（１）においてその下限を下回ると、前記第１レンズ群の焦点距離が短くなって球面収差がアンダー側に過大となるばかりか、前記第１レンズ群に後続するレンズ群の近軸結像倍率の拡大にともない後玉径が拡大し光学系の大型化を招くため、好ましくない。一方、条件式（１）においてその上限を超えると、前記第１レンズ群の焦点距離が長くなり光学系全長が増大してしまって、光学系の小型化が阻害される。
【００２５】
なお、上記条件式（１）は、次に示す範囲を満足すると、より好ましい効果が期待できる。
（１）'  ０．３５＜ｆ１／ｆ＜０．５３
この条件式（１）'で規定する範囲を満足することにより、より光学系の小型化を達成しつつ、より結像性能の向上を図ることができる。
【００２６】
さらに、上記条件式（１）'は、次に示す範囲を満足すると、さらなる好ましい効果が期待できる。
（１）''  ０．４０＜ｆ１／ｆ＜０．４９
この条件式（１）''で規定する範囲を満足することにより、光学系のさらなる小型化を達成しつつ、結像性能のさらなる向上を図ることができる。
【００２７】
また、一般に、比較的広い画角を得ようとすると、画角による影響を強く受ける収差、特に歪曲収差の発生が顕著になる。そこで、広角化を達成するためには、かかる収差の対策が必須になる。この発明にかかるインナーフォーカス式レンズでは、前記第１レンズ群を、物体側から順に配置された、負の屈折力を有する第１サブレンズ群と、正の屈折力を有する第２サブレンズ群と、により構成する。さらに、前記第１サブレンズ群を、物体側から順に配置された、物体側に凸面を向けた負のメニスカスレンズと、正レンズと、から構成し、前記負のメニスカスレンズの像側面に光軸中心付近から周辺にかけて徐々に負の屈折力が弱まっていくような形状の非球面を形成することにより、諸収差、特に歪曲収差を適切に補正する。
【００２８】
加えて、前記負のメニスカスレンズの像側面の非球面変形量をａｓｐ１ｎｒ、無限遠合焦状態における光学系全系の焦点距離をｆとするとき、次の条件式を満足することが好ましい。
（２）  ０．００４７＜｜ａｓｐ１ｎｒ｜／ｆ＜０．００８８
【００２９】
条件式（２）は、光学系の広角化、小型化を達成しつつ、諸収差、特に歪曲収差を適切に補正するための条件を規定するものである。条件式（２）においてその下限を下回ると、歪曲収差がアンダー側に過大となるばかりか、像面湾曲がオーバー側に過大となって、双方の補正が困難になる。一方、条件式（２）においてその上限を超えると、今度は歪曲収差がオーバー側に過大となるばかりか、像面湾曲がアンダー側に過大となって、やはり双方の補正が困難になる。
【００３０】
なお、上記条件式（２）は、次に示す範囲を満足すると、より好ましい効果が期待できる。
（２）'  ０．００５４＜｜ａｓｐ１ｎｒ｜／ｆ＜０．００８１
この条件式（２）'で規定する範囲を満足することにより、より光学系の小型化を達成しつつ、より結像性能の向上を図ることができる。
【００３１】
さらに、上記条件式（２）'は、次に示す範囲を満足すると、さらなる好ましい効果が期待できる。
（２）''  ０．００６１＜｜ａｓｐ１ｎｒ｜／ｆ＜０．００７４
この条件式（２）''で規定する範囲を満足することにより、光学系のさらなる小型化を達成しつつ、結像性能のさらなる向上を図ることができる。
【００３２】
また、この発明にかかるインナーフォーカス式レンズでは、前記第１レンズ群で作った像を、前記第１レンズ群に後続するレンズ群で拡大させ所望の像高を得る。このため、前記第１レンズ群で残存した諸収差が光学系全系の結像性能に影響する度合いが強い。したがって、前記第１レンズ群内で十分な収差補正がされていないと、結像性能が劣化する。そこで、このインナーフォーカス式レンズでは、前記第１サブレンズ群と前記第２サブレンズ群との間に開口絞りを配置する。そして、前記第１サブレンズ群の最も物体側面から前記開口絞りまでの光軸上の距離をＬＲ１Ｓ、前記第１サブレンズ群の最も物体側面から前記第２サブレンズ群の最も像側面までの光軸上の距離をＬＧ１とするとき、次の条件式を満足することが好ましい。
（３）  ０．３１＜ＬＲ１Ｓ／ＬＧ１＜０．５７
【００３３】
条件式（３）は、光学系の小型化を阻害せずに、前記第１レンズ群自体で諸収差を十分に補正し結像性能を高めるための条件を規定するものである。条件式（３）においてその下限を下回ると、前記開口絞りが物体側に寄りすぎて上光線が前記第１レンズ群に後続するレンズ群の周辺部を通過するため、後続群のレンズ径を拡大しなくてはならなくなるばかりか、前記第１レンズ群の屈折力の影響を強く受けコマ収差が過大となる。一方、条件式（３）においてその上限を超えると、前記開口絞りが像側に寄りすぎて下光線がより光軸から高いところを通過するため、前玉径を拡大しなくてはならなくなるばかりか、歪曲収差がアンダー側に大きく発生する。
【００３４】
なお、上記条件式（３）は、次に示す範囲を満足すると、より好ましい効果が期待できる。
（３）'  ０．３５＜ＬＲ１Ｓ／ＬＧ１＜０．５３
この条件式（３）'で規定する範囲を満足することにより、より光学系の小型化を達成しつつ、より結像性能の向上を図ることができる。
【００３５】
さらに、上記条件式（３）'は、次に示す範囲を満足すると、さらなる好ましい効果が期待できる。
（３）''  ０．４０＜ＬＲ１Ｓ／ＬＧ１＜０．４９
この条件式（３）''で規定する範囲を満足することにより、光学系のさらなる小型化を達成しつつ、結像性能のさらなる向上を図ることができる。
【００３６】
さらに、この発明にかかるインナーフォーカス式レンズでは、前記第２レンズ群の焦点距離をｆ２、無限遠合焦状態における光学系全系の焦点距離をｆとするとき、次の条件式を満足することが好ましい。
（４）  −０．８３＜ｆ２／ｆ＜−０．４４
【００３７】
条件式（４）は、光学系の小型化を阻害せずに、高い結像性能を維持する（特に像面湾曲を良好に補正する）ための条件を規定するものである。条件式（４）においてその下限値を下回ると、前記第２レンズ群の焦点距離が短くなり負の屈折力が強くなりすぎて、像面湾曲がオーバー側に過大となりその補正が困難になるため、好ましくない。一方、条件式（４）においてその上限を超えると、前記第２レンズ群の焦点距離が長くなり負の屈折力が弱くなりすぎて、像面湾曲がアンダー側に過大となりその補正が困難になるため、好ましくない。
【００３８】
なお、上記条件式（４）は、次に示す範囲を満足すると、より好ましい効果が期待できる。
（４）'  −０．７６＜ｆ２／ｆ＜−０．５１
この条件式（４）'で規定する範囲を満足することにより、より光学系の小型化を達成しつつ、より結像性能の向上を図ることができる。
【００３９】
さらに、上記条件式（４）'は、次に示す範囲を満足すると、さらなる好ましい効果が期待できる。
（４）''  −０．７０＜ｆ２／ｆ＜−０．５７
この条件式（４）''で規定する範囲を満足することにより、光学系のさらなる小型化を達成しつつ、結像性能のさらなる向上を図ることができる。
【００４０】
以上説明したように、この発明にかかるインナーフォーカス式レンズは、フォーカス群である前記第２レンズ群を単体のレンズで構成することにより、フォーカス群の軽量化を図ることができる。さらに、前記第１レンズ群の最も物体側に、物体側に凸面を向けた負のメニスカスレンズを配置し、この負のメニスカスレンズの像側面に光軸中心付近から周辺にかけて徐々に負の屈折力が弱まっていくような形状の非球面を形成することにより、広角化に伴って顕著となる収差、特に歪曲収差を効果的に補正することが可能になる。加えて、上記各条件式を満足することにより、より小型で、優れた結像性能を備えたインナーフォーカス式レンズを実現することができる。
【００４１】
以下、この発明にかかるインナーフォーカス式レンズの実施例を図面に基づき詳細に説明する。なお、以下の実施例によりこの発明が限定されるものではない。
【実施例１】
【００４２】
図１は、実施例１にかかるインナーフォーカス式レンズの構成を示す光軸に沿う断面図である。このインナーフォーカス式レンズは、図示しない物体側から順に、正の屈折力を有する第１レンズ群Ｇ11と、負の屈折力を有する第２レンズ群Ｇ12と、正の屈折力を有する第３レンズ群Ｇ13と、が配置されて構成される。第３レンズ群Ｇ13の後方（図面右側）の像面ＩＭＧには、ＣＣＤやＣＭＯＳなどの撮像素子の受光面が配置される。
【００４３】
第１レンズ群Ｇ11は、前記物体側から順に、負の屈折力を有する第１サブレンズ群Ｇ11Ｆと、正の屈折力を有する第２サブレンズ群Ｇ11Ｒとが配置されて構成される。第１サブレンズ群Ｇ11Ｆと第２サブレンズ群Ｇ11Ｒとの間には、所定の口径を規定する開口絞りＳが配置されている。また、第１サブレンズ群Ｇ11Ｆは、前記物体側から順に、物体側に凸面を向けた負のメニスカスレンズＬ111と、正レンズＬ112と，が配置されて構成されている。負のメニスカスレンズＬ111は複合レンズになっており、像面ＩＭＧ側には光軸中心付近から周辺にかけて徐々に負の屈折力が弱まっていくような形状の非球面が形成されている。第２サブレンズ群Ｇ11Ｒは、前記物体側から順に、負レンズＬ113と、正レンズＬ114と、正レンズＬ115と、が配置されて構成されている。負レンズＬ113と正レンズＬ114とは接合されている。また、正レンズＬ115の両面には、それぞれ非球面が形成されている。
【００４４】
第２レンズ群Ｇ12は、負レンズＬ121により構成されている。負レンズＬ121は複合レンズになっており、像面ＩＭＧ側の面には非球面が形成されている。
【００４５】
第３レンズ群Ｇ13は、正レンズＬ131により構成されている。
【００４６】
このインナーフォーカス式レンズは、第２レンズ群Ｇ12を光軸に沿って前記物体側から像面ＩＭＧ側へ移動させることにより無限遠合焦状態から最至近距離合焦状態までのフォーカシングを行う。なお、第１レンズ群Ｇ11および第３レンズ群Ｇ13は、常時固定されている。
【００４７】
以下、実施例１にかかるインナーフォーカス式レンズに関する各種数値データを示す。
【００４８】
（レンズデータ）
ｒ1＝49.294
ｄ1＝0.70    ｎｄ1＝1.61800    νｄ1＝63.4
ｒ2＝8.281
ｄ2＝0.20    ｎｄ2＝1.53610    νｄ2＝41.2
ｒ3＝7.498（非球面）
ｄ3＝3.00
ｒ4＝16.940
ｄ4＝2.68    ｎｄ3＝1.64769    νｄ3＝33.8
ｒ5＝-57.578
ｄ5＝4.90
ｒ6＝∞（開口絞り）
ｄ6＝5.80
ｒ7＝-700.000
ｄ7＝0.70    ｎｄ4＝1.75520    νｄ4＝27.5
ｒ8＝16.807
ｄ8＝2.90    ｎｄ5＝1.49700    νｄ5＝81.6
ｒ9＝-50.056
ｄ9＝0.50
ｒ10＝21.061（非球面）
ｄ10＝3.87    ｎｄ6＝1.59201    νｄ6＝67.0
ｒ11＝-14.209（非球面）
ｄ11＝Ｄ（１１）
ｒ12＝-46.085
ｄ12＝0.70    ｎｄ7＝1.48749    νｄ7＝70.4
ｒ13＝13.045
ｄ13＝0.20    ｎｄ8＝1.53610    νｄ8＝41.2
ｒ14＝11.339（非球面）
ｄ14＝Ｄ（１４）
ｒ15＝37.899
ｄ15＝3.92    ｎｄ9＝1.53172    νｄ9＝48.8
ｒ16＝-81.945
ｄ16＝ｆＢ
ｒ17＝∞（像面）
【００４９】
（コーニック係数（k）および非球面係数（Ａ4，Ａ6，Ａ8，Ａ10））
（第３面）
k＝0,
Ａ4＝-1.8909×10-4,    Ａ6＝-2.4100×10-6,
Ａ8＝-4.4700×10-8,    Ａ10＝-4.2700×10-10
（第１０面）
k＝0,
Ａ4＝-5.7937×10-5,    Ａ6＝1.0969×10-6,
Ａ8＝-2.7388×10-8,    Ａ10＝3.8051×10-10
（第１１面）
k＝0,
Ａ4＝5.1068×10-5,    Ａ6＝1.2754×10-6,
Ａ8＝-3.1751×10-8,    Ａ10＝4.2140×10-10
（第１４面）
k＝0,
Ａ4＝-6.9421×10-5,    Ａ6＝-3.4378×10-7,
Ａ8＝-6.9182×10-9,    Ａ10＝6.8268×10-11
【００５０】
（各合焦状態の数値データ）
無限遠    最至近距離
Ｆｎｏ．                      3.60      4.23
全系の焦点距離（ｆ）          29.1      20.6
画角（２ω）                  48.9
像高（Ｙ）                    14.20     14.20
Ｄ（１１）                    1.51      7.57
Ｄ（１４）                    12.43     6.36
ｆＢ（バックフォーカス）      27.30     27.30
【００５１】
（条件式（１）に関する数値）
ｆ１（第１レンズ群Ｇ11の焦点距離）＝12.7
ｆ１／ｆ＝0.44
【００５２】
（条件式（２）に関する数値）
｜ａｓｐ１ｎｒ（負のメニスカスレンズＬ111の像側面の非球面変形量）｜＝0.20
｜ａｓｐ１ｎｒ｜／ｆ＝0.0067
【００５３】
（条件式（３）に関する数値）
ＬＲ１Ｓ（第１サブレンズ群Ｇ11Ｆの最も物体側面から開口絞りＳまでの光軸上の距離）＝11.48
ＬＧ１（第１サブレンズ群Ｇ11Ｆの最も物体側面から第２サブレンズ群Ｇ11Ｒの最も像側面までの光軸上の距離）＝25.25
ＬＲ１Ｓ／ＬＧ１＝0.45
【００５４】
（条件式（４）に関する数値）
ｆ２（第２レンズ群Ｇ12の焦点距離）＝-18.3
ｆ２／ｆ＝-0.63
【００５５】
また、図２は、実施例１にかかるインナーフォーカス式レンズの無限遠合焦状態における諸収差図である。図３は、実施例１にかかるインナーフォーカス式レンズの最至近距離合焦状態における諸収差図である。図はいずれもｄ線（λ＝５８７．５６ｎｍ）に相当する波長の収差を表す。そして、非点収差図におけるＳ，Ｍは、それぞれサジタル像面、メリディオナル像面に対する収差を表す。
【実施例２】
【００５６】
図４は、実施例２にかかるインナーフォーカス式レンズの構成を示す光軸に沿う断面図である。このインナーフォーカス式レンズは、図示しない物体側から順に、正の屈折力を有する第１レンズ群Ｇ21と、負の屈折力を有する第２レンズ群Ｇ22と、正の屈折力を有する第３レンズ群Ｇ23と、が配置されて構成される。第３レンズ群Ｇ23の後方（図面右側）の像面ＩＭＧには、ＣＣＤやＣＭＯＳなどの撮像素子の受光面が配置される。
【００５７】
第１レンズ群Ｇ21は、前記物体側から順に、負の屈折力を有する第１サブレンズ群Ｇ21Ｆと、正の屈折力を有する第２サブレンズ群Ｇ21Ｒと、が配置されて構成される。第１サブレンズ群Ｇ21Ｆと第２サブレンズ群Ｇ21Ｒとの間には、所定の口径を規定する開口絞りＳが配置されている。また、第１サブレンズ群Ｇ21Ｆは、前記物体側から順に、物体側に凸面を向けた負のメニスカスレンズＬ211と、正レンズＬ212と、が配置されて構成されている。負のメニスカスレンズＬ211の両面には、それぞれ非球面が形成されている。特に、負のメニスカスレンズＬ211の像面ＩＭＧ側面に形成された非球面は、光軸中心付近から周辺にかけて徐々に負の屈折力が弱まっていくような形状になっている。第２サブレンズ群Ｇ21Ｒは、前記物体側から順に、負レンズＬ213と、正レンズＬ214と、正レンズＬ215と、が配置されて構成されている。負レンズＬ213と正レンズＬ214とは接合されている。また、正レンズＬ215の両面には、それぞれ非球面が形成されている。
【００５８】
第２レンズ群Ｇ22は、負レンズＬ221により構成されている。負レンズＬ221は複合レンズになっており、像面ＩＭＧ側の面には非球面が形成されている。
【００５９】
第３レンズ群Ｇ23は、正レンズＬ231により構成されている。
【００６０】
このインナーフォーカス式レンズは、第２レンズ群Ｇ22を光軸に沿って前記物体側から像面ＩＭＧ側へ移動させることにより無限遠合焦状態から最至近距離合焦状態までのフォーカシングを行う。なお、第１レンズ群Ｇ21および第３レンズ群Ｇ23は、常時固定されている。
【００６１】
以下、実施例２にかかるインナーフォーカス式レンズに関する各種数値データを示す。
【００６２】
（レンズデータ）
ｒ1＝22.524（非球面）
ｄ1＝0.70    ｎｄ1＝1.59201    νｄ1＝67.02
ｒ2＝7.844（非球面）
ｄ2＝5.77
ｒ3＝1314.307
ｄ3＝2.30    ｎｄ2＝1.59270    νｄ2＝35.45
ｒ4＝-18.604
ｄ4＝4.60
ｒ5＝∞（開口絞り）
ｄ5＝4.60
ｒ6＝-100.502
ｄ6＝0.70    ｎｄ3＝1.75520    νｄ3＝27.53
ｒ7＝23.311
ｄ7＝4.18    ｎｄ4＝1.48749    νｄ4＝70.44
ｒ8＝-23.571
ｄ8＝0.50
ｒ9＝29.769（非球面）
ｄ9＝3.93    ｎｄ5＝1.55332    νｄ5＝71.68
ｒ10＝-14.098（非球面）
ｄ10＝Ｄ（１０）
ｒ11＝-76.166
ｄ11＝0.70    ｎｄ6＝1.48749    νｄ6＝70.44
ｒ12＝13.111
ｄ12＝0.20    ｎｄ7＝1.53610    νｄ7＝41.21
ｒ13＝11.448（非球面）
ｄ13＝Ｄ（１３）
ｒ14＝29.494
ｄ14＝3.01    ｎｄ8＝1.48749    νｄ8＝70.44
ｒ15＝168.008
ｄ15＝ｆＢ
ｒ16＝∞（像面）
【００６３】
（コーニック係数（k）および非球面係数（Ａ4，Ａ6，Ａ8，Ａ10））
（第１面）
k＝0,
Ａ4＝-8.9726×10-5,    Ａ6＝1.2520×10-6,
Ａ8＝-4.2438×10-8,    Ａ10＝4.3907×10-10
（第２面）
k＝0,
Ａ4＝-1.4202×10-4,    Ａ6＝-6.7903×10-7,
Ａ8＝-7.3755×10-8,    Ａ10＝5.1855×10-12
（第９面）
k＝0,
Ａ4＝-2.9541×10-5,    Ａ6＝1.6453×10-7,
Ａ8＝-3.3458×10-9,    Ａ10＝5.5809×10-11
（第１０面）
k＝0,
Ａ4＝6.1294×10-5,    Ａ6＝1.5463×10-7,
Ａ8＝-3.0315×10-9,    Ａ10＝5.5815×10-11
（第１３面）
k＝0,
Ａ4＝-4.7521×10-5,    Ａ6＝-5.7981×10-7,
Ａ8＝4.4984×10-9,    Ａ10＝-7.0155×10-11
【００６４】
（各合焦状態の数値データ）
無限遠    最至近距離
Ｆｎｏ．                      3.58      4.13
全系の焦点距離（ｆ）          29.1      19.4
画角（２ω）                  49.7
像高（Ｙ）                    14.20     14.20
Ｄ（１０）                    1.80      7.73
Ｄ（１３）                    13.01     7.08
ｆＢ（バックフォーカス）      25.30     25.30
【００６５】
（条件式（１）に関する数値）
ｆ１（第１レンズ群Ｇ21の焦点距離）＝12.2
ｆ１／ｆ＝0.42
【００６６】
（条件式（２）に関する数値）
｜ａｓｐ１ｎｒ（負のメニスカスレンズＬ211の像側面の非球面変形量）｜＝0.19
｜ａｓｐ１ｎｒ｜／ｆ＝0.0066
【００６７】
（条件式（３）に関する数値）
ＬＲ１Ｓ（第１サブレンズ群Ｇ21Ｆの最も物体側面から開口絞りＳまでの光軸上の距離）＝13.37
ＬＧ１（第１サブレンズ群Ｇ21Ｆの最も物体側面から第２サブレンズ群Ｇ21Ｒの最も像側面までの光軸上の距離）＝27.28
ＬＲ１Ｓ／ＬＧ１＝0.49
【００６８】
（条件式（４）に関する数値）
ｆ２（第２レンズ群Ｇ22の焦点距離）＝-20.1
ｆ２／ｆ＝-0.69
【００６９】
また、図５は、実施例２にかかるインナーフォーカス式レンズの無限遠合焦状態における諸収差図である。図６は、実施例２にかかるインナーフォーカス式レンズの最至近距離合焦状態における諸収差図である。図はいずれもｄ線（λ＝５８７．５６ｎｍ）に相当する波長の収差を表す。そして、非点収差図におけるＳ，Ｍは、それぞれサジタル像面、メリディオナル像面に対する収差を表す。
【実施例３】
【００７０】
図７は、実施例３にかかるインナーフォーカス式レンズの構成を示す光軸に沿う断面図である。このインナーフォーカス式レンズは、図示しない物体側から順に、正の屈折力を有する第１レンズ群Ｇ31と、負の屈折力を有する第２レンズ群Ｇ32と、正の屈折力を有する第３レンズ群Ｇ33と、が配置されて構成される。第３レンズ群Ｇ33の後方（図面右側）の像面ＩＭＧには、ＣＣＤやＣＭＯＳなどの撮像素子の受光面が配置される。
【００７１】
第１レンズ群Ｇ31は、前記物体側から順に、負の屈折力を有する第１サブレンズ群Ｇ31Ｆと、正の屈折力を有する第２サブレンズ群Ｇ31Ｒと、が配置されて構成される。第１サブレンズ群Ｇ31Ｆと第２サブレンズ群Ｇ31Ｒとの間には、所定の口径を規定する開口絞りＳが配置されている。また、第１サブレンズ群Ｇ31Ｆは、前記物体側から順に、物体側に凸面を向けた負のメニスカスレンズＬ311と、正レンズＬ312と、が配置されて構成されている。負のメニスカスレンズＬ311は複合レンズになっており、負のメニスカスレンズＬ311の像面ＩＭＧ側には光軸中心付近から周辺にかけて徐々に負の屈折力が弱まっていくような形状の非球面が形成されている。第２サブレンズ群Ｇ31Ｒは、前記物体側から順に、負レンズＬ313と、正レンズＬ314と、正レンズＬ315と、が配置されて構成されている。負レンズＬ313と正レンズＬ314とは接合されている。また、正レンズＬ315の両面には、それぞれ非球面が形成されている。
【００７２】
第２レンズ群Ｇ32は、負レンズＬ321により構成されている。負レンズＬ321の像面ＩＭＧ側の面には、非球面が形成されている。
【００７３】
第３レンズ群Ｇ33は、正レンズＬ331により構成されている。
【００７４】
このインナーフォーカス式レンズは、第２レンズ群Ｇ32を光軸に沿って前記物体側から像面ＩＭＧ側へ移動させることにより無限遠合焦状態から最至近距離合焦状態までのフォーカシングを行う。なお、第１レンズ群Ｇ31および第３レンズ群Ｇ33は、常時固定されている。
【００７５】
以下、実施例３にかかるインナーフォーカス式レンズに関する各種数値データを示す。
【００７６】
（レンズデータ）
ｒ1＝28.611
ｄ1＝0.80    ｎｄ1＝1.51680    νｄ1＝64.20
ｒ2＝7.876
ｄ2＝0.20    ｎｄ2＝1.53610    νｄ2＝41.2
ｒ3＝7.203（非球面）
ｄ3＝2.94
ｒ4＝22.605
ｄ4＝1.87    ｎｄ3＝1.84666    νｄ3＝23.78
ｒ5＝-250.000
ｄ5＝4.45
ｒ6＝∞（開口絞り）
ｄ6＝4.36
ｒ7＝-570959.758
ｄ7＝1.00    ｎｄ4＝1.84666    νｄ4＝23.78
ｒ8＝15.967
ｄ8＝4.99    ｎｄ5＝1.51680    νｄ5＝64.20
ｒ9＝-37.596
ｄ9＝0.50
ｒ10＝22.552（非球面）
ｄ10＝4.03    ｎｄ6＝1.61881    νｄ6＝63.86
ｒ11＝-12.996（非球面）
ｄ11＝Ｄ（１１）
ｒ12＝132.018
ｄ12＝0.80    ｎｄ7＝1.77250    νｄ7＝49.62
ｒ13＝12.784（非球面）
ｄ13＝Ｄ（１３）
ｒ14＝25.076
ｄ14＝3.00    ｎｄ8＝1.84666    νｄ8＝23.78
ｒ15＝38.589
ｄ15＝ｆＢ
ｒ16＝∞（像面）
【００７７】
（コーニック係数（k）および非球面係数（Ａ4，Ａ6，Ａ8，Ａ10））
（第３面）
k＝0.0506,
Ａ4＝-1.5403×10-4,    Ａ6＝-4.7926×10-6,
Ａ8＝5.2480×10-8,    Ａ10＝-2.7248×10-9
（第１０面）
k＝-0.3705,
Ａ4＝-4.6113×10-5,    Ａ6＝-1.6401×10-7,
Ａ8＝5.6221×10-9,    Ａ10＝-1.2939×10-10
（第１１面）
k＝0.8893,
Ａ4＝1.2728×10-4,    Ａ6＝4.5991×10-7,
Ａ8＝3.7545×10-9,    Ａ10＝-3.0634×10-12
（第１３面）
k＝-0.8959,
Ａ4＝3.9849×10-5,    Ａ6＝-1.7211×10-7,
Ａ8＝4.1223×10-9,    Ａ10＝-5.2291×10-11
【００７８】
（各合焦状態の数値データ）
無限遠    最至近距離
Ｆｎｏ．                      3.54      4.10
全系の焦点距離（ｆ）          30.0      19.0
画角（２ω）                  50.6
像高（Ｙ）                    14.20     14.20
Ｄ（１１）                    1.03      6.56
Ｄ（１３）                    13.03     7.50
ｆＢ（バックフォーカス）      23.70     23.70
【００７９】
（条件式（１）に関する数値）
ｆ１（第１レンズ群Ｇ31の焦点距離）＝12.0
ｆ１／ｆ＝0.40
【００８０】
（条件式（２）に関する数値）
｜ａｓｐ１ｎｒ（負のメニスカスレンズＬ311の像側面の非球面変形量）｜＝0.21
｜ａｓｐ１ｎｒ｜／ｆ＝0.0070
【００８１】
（条件式（３）に関する数値）
ＬＲ１Ｓ（第１サブレンズ群Ｇ31Ｆの最も物体側面から開口絞りＳまでの光軸上の距離）＝10.26
ＬＧ１（第１サブレンズ群Ｇ31Ｆの最も物体側面から第２サブレンズ群Ｇ31Ｒの最も像側面までの光軸上の距離）＝25.13
ＬＲ１Ｓ／ＬＧ１＝0.41
【００８２】
（条件式（４）に関する数値）
ｆ２（第２レンズ群Ｇ32の焦点距離）＝-18.3
ｆ２／ｆ＝-0.61
【００８３】
また、図８は、実施例３にかかるインナーフォーカス式レンズの無限遠合焦状態における諸収差図である。図９は、実施例３にかかるインナーフォーカス式レンズの最至近距離合焦状態における諸収差図である。図はいずれもｄ線（λ＝５８７．５６ｎｍ）に相当する波長の収差を表す。そして、非点収差図におけるＳ，Ｍは、それぞれサジタル像面、メリディオナル像面に対する収差を表す。
【００８４】
なお、上記各実施例中の数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズのｄ線（λ＝５８７．５６ｎｍ）に対する屈折率、νｄ1，νｄ2，・・・・は各レンズのｄ線（λ＝５８７．５６ｎｍ）に対するアッベ数を示している。そして、長さの単位はすべて「ｍｍ」、角度の単位はすべて「°」である。
【００８５】
また、上記各非球面形状は、非球面の深さをＺ、曲率をｃ（＝１／ｒ：ｒは曲率半径）、光軸からの高さをｈとし、光の進行方向を正とするとき、以下に示す式により表される。
【００８６】
【数１】
0005714925.tif 000002
【００８７】
ただし、ｋはコーニック係数、Ａ4，Ａ6，Ａ8，Ａ10はそれぞれ４次，６次，８次，１０次の非球面係数である。
【００８８】
以上説明したように、上記各実施例のインナーフォーカス式レンズは、フォーカス群である前記第２レンズ群を単体のレンズで構成することにより、フォーカス群の軽量化を図ることができる。さらに、前記第１レンズ群の最も物体側に、物体側に凸面を向けた負のメニスカスレンズを配置し、この負のメニスカスレンズの像側面に光軸中心付近から周辺にかけて徐々に負の屈折力が弱まっていくような形状の非球面を形成することにより、広角化に伴って顕著となる収差、特に歪曲収差を効果的に補正することが可能になる。さらに、上記各条件式を満足することにより、より小型で、優れた結像性能を備えたインナーフォーカス式レンズを実現することができる。また、上記各実施例のインナーフォーカス式レンズは、適宜非球面が形成されたレンズや接合レンズを用いているため、少ないレンズ枚数で、良好な光学性能を維持することができる。なお、上記各実施例に示したインナーフォーカス式レンズは、いずれも３５ｍｍカメラ換算で焦点距離が４５ｍｍになる。
【産業上の利用可能性】
【００８９】
以上のように、この発明のインナーフォーカス式レンズは、ビデオカメラ、電子スチルカメラなどに有用であり、特に、小型で高い結像性能が要求される撮像装置に最適である。
【符号の説明】
【００９０】
Ｇ11，Ｇ21，Ｇ31  第１レンズ群
Ｇ12，Ｇ22，Ｇ32  第２レンズ群
Ｇ13，Ｇ23，Ｇ33  第３レンズ群
Ｇ11Ｆ，Ｇ21Ｆ，Ｇ31Ｆ  第１サブレンズ群
Ｇ11Ｒ，Ｇ21Ｒ，Ｇ31Ｒ  第２サブレンズ群
Ｌ111，Ｌ211，Ｌ311  負のメニスカスレンズ
Ｌ112，Ｌ114，Ｌ115，Ｌ131，Ｌ212，Ｌ214，Ｌ215，Ｌ231，Ｌ312，Ｌ314，Ｌ315，Ｌ331  正レンズ
Ｌ113，Ｌ121，Ｌ213，Ｌ221，Ｌ313，Ｌ321  負レンズ
ＩＭＧ  像面
Ｓ  開口絞り
【図１】
0005714925.tif 000003
【図２】
0005714925.tif 000004
【図３】
0005714925.tif 000005
【図４】
0005714925.tif 000006
【図５】
0005714925.tif 000007
【図６】
0005714925.tif 000008
【図７】
0005714925.tif 000009
【図８】
0005714925.tif 000010
【図９】
0005714925.tif 000011